(57)【特許請求の範囲】
【請求項１】
庫体の開口を開閉する扉の掛金装置であって、庫体における開口周縁部に固定される第１の係合部材と、この第１の係合部材に対して係脱自在に扉に固定される第２の係合部材とを具備し、
前記第１又は第２の係合部材の少なくとも一方は、庫体又は扉における庫外側である前面側に配置される本体と、この本体と対向配置され庫体又は扉に形成される貫通開口を前後に通過可能な支持体と、前記本体と支持体とを結合する締め付け部材と、前記支持体を前記貫通開口に対して抜け止めするために庫体又は扉の庫内側である背面側と前記支持体との間に抜き差し自在に介設される閂部材とを具備し、
前記閂部材は、装着時に前記貫通開口を架橋して、前記庫体又は扉の背面側と前記支持体とに弾性的に摩擦係合することを特徴とする扉の掛金装置。
【請求項２】
前記支持体は、前記貫通開口に嵌合し前端面が前記本体に当接する貫通部と、この貫通部の後部に形成されるフランジ部とを具備し、
前記閂部材は、牽引部材が結合される主体部と、主体部から互いに平行に間隔を置いて延出する一対の脚部とを具備し、
この脚部は、前記支持体の貫通部の対向外側面に沿って当該貫通部の軸線と直交方向に延びることによって前記貫通開口を架橋するように延出し、かつ前記庫体又は扉の背面側面と前記支持体のフランジ部とに弾性的に接触するばね部を具備することを特徴とする請求項１に記載の扉の掛金装置。
【請求項３】
前記第１又は第２の係合部材の本体は、それが取り付けられる前記庫体又は扉の前記貫通開口の近傍に形成される位置決め孔に係合するように突出する位置決め突起を有し、
前記支持体の貫通部は、直交方向の互いに平行な２対の外側平面を具備し、前記閂部材の脚部が、選択的にいずれかの外側平面に沿うように、前記閂部材が配置され、それによって、閂部材の挿入及び引き抜き方向が９０度毎４方向から選択可能とされることを特徴とする請求項２に記載の扉の掛金装置。
【発明の詳細な説明】
【技術分野】
【０００１】
この発明は、冷蔵庫や倉庫などの出入口である開口部に設けられる扉を開口部周縁の枠部に掛け止めるために、枠部と扉との間に設けられる掛金装置に関し、さらに詳しくは、誤って庫体の内部に人がいる状態で扉が枠部に掛け止められても、内部から掛金の係合を外して扉を開放できる扉の掛金装置に係るものである。
【背景技術】
【０００２】
従来、プレハブ冷蔵庫のような大型の貯蔵庫では、作業者が誤って庫内に閉じ込められると危険であることから、かかる非常時に、貯蔵庫の開口部（出入口）を開閉する扉を庫内側から開放可能とする機構が設けられている。
例えば、特許文献１には、摺動扉の非常開放装置が記載されている。この非常開放装置においては、摺動扉における扉体の先端部と冷蔵庫の開口側部との間に施錠装置が取り付けられる。施錠装置の一部を構成する受け具が庫外側に配置され、この受け具にねじ孔が設けられる。一方、扉体を内外に貫通するように操作軸が設けられ、それの先端の雄ねじ部が、受け具のねじ孔に螺合する。操作軸は、庫内側から操作ハンドルを操作して回転できるようになっており、操作軸と受け具のねじ孔との螺合を解除することにより、受け具を操作軸からフリーな状態にして摺動扉を開放できる。
【先行技術文献】
【特許文献】
【０００３】
【特許文献１】実公平４−３１９８５号公報
【発明の概要】
【発明が解決しようとする課題】
【０００４】
上記従来の摺動扉の非常開放装置によれば、冷蔵庫の庫内から操作ハンドルを回転することにより、摺動扉を開放して庫内から庫外へ脱出することができるものではあるが、操作が必ずしも単純でなく、誰でもが容易に開放操作を行うことができるとは言い難い。
したがって、この出願に係る発明は、庫体の内部から誰でもが容易に開放操作を行うことができる扉の掛金装置を提供することを目的としている。
【課題を解決するための手段】
【０００５】
以下、添付図面の符号を参照して説明するが、本発明はこれに限定されるものではない。
上記課題を解決するための、この発明の掛金装置１は、冷蔵庫や倉庫などの庫体５１の開口を開閉する扉５２の掛金装置であって、庫体５１の開口周縁部に固定される第１の係合部材２と、この第１の係合部材２に対して係脱自在に扉５２に固定される第２の係合部材３とを具備する。第１又は第２の係合部材２，３の少なくとも一方は、庫体５１又は扉５２の前面側に配置される本体２１，３１と、背面側に配置される支持体２２，３２と、本体２１，３１と支持体２２，３２とを締め付ける締め付け部材２３，３３と、支持体２２，３２と庫体５１又は扉５２の背面側とに弾性的に摩擦係合し、両者間に抜き差し自在に介設される閂部材２４，３４とを具備する。支持体２２，３２は、庫体又は扉に形成される貫通開口５１ａ，５２ａを前後に通過できる。閂部材２４，３４は、装着状態において貫通開口５１ａ，５２ａを架橋して支持体２２，３２を貫通開口５１ａ，５２ａに対して抜け止めし、抜去により支持体２２，３２を解放する。
【発明の効果】
【０００６】
この発明の掛金装置によれば、誤って庫体の内部に閉じこめられても、閂部材を引き抜くだけで容易に掛金装置を外し、安全に庫外へ脱出することができる。
【図面の簡単な説明】
【０００７】
【図１】本発明に係る掛金装置の分解斜視図である。
【図２】図１の掛金装置の装着状態の正面図である。
【図３】図１の掛金装置の装着状態の平面図である。
【図４】図１の掛金装置の装着状態の背面図である。
【発明を実施するための形態】
【０００８】
図面を参照してこの発明の実施の形態を説明する。
庫体５１の開口を開閉する扉５２の掛金装置１は、庫体５１における開口周縁部に固定される第１の係合部材２と、この第１の係合部材２に対して係脱自在に扉５２に固定される第２の係合部材３とを具備する。庫体５１の開口周縁部には、係合部材２を装着するための貫通開口５１ａが形成される。また、これに対応して、扉５２には、係合部材３を装着するための貫通開口５２ａが形成される。貫通開口５１ａ，５２ａの両縁部には、それぞれ位置決め孔５１ｂ，５２ｂが形成される。
【０００９】
第１及び第２の係合部材２，３は、それぞれ庫外側である前面側に配置される本体２１，３１と、庫内側である背面側に配置される支持体２２，３２とを具備する。支持体２２，３２と本体２１，３１とは、それぞれ締め付け部材であるボルト２３，３３で結合される。
【００１０】
支持体２２，３２は、貫通開口５１ａ，５２ａを庫体の内外に通過できる寸法に構成される。支持体２２，３２は、庫体または扉の前面側から貫通開口５１ａ，５２ａに挿通され、閂部材２４，３４によって、貫通開口５１ａ，５２ａに対して抜け止めされ、庫体５１又は扉５２に固定される。
【００１１】
閂部材２４，３４は、庫体５１又は扉５２の背面側と支持体２２，３２との間に弾性的に摩擦係合するように嵌め込まれ、庫内側において支持体２２，３２に対して、それの軸線直交方向に抜き差し自在に構成される。
【００１２】
図示の実施形態において、第１の係合部材２の本体２１は、庫体の貫通開口５１ａを覆うように、庫体の前面側に密着して配置されるベース２１ａと、これにヒンジ結合される掛金２１ｂとを具備する。ベース２１ａには、ボルト孔２１ｃが形成されると共に、背面側に位置決め突起２１ｅが形成される。位置決め突起２１ｅは、庫体の位置決め孔５１ｂに嵌合する。掛金２１ｂには、係合孔２１ｄが形成される。
【００１３】
第２の係合部材３の本体３１は、ベース３１ａと、これに固着される受け金３１ｂとを具備する。ベース３１ａは、ボルト孔３１ｃを有し、扉の貫通開口５２ａを覆うように、扉５２の前面側に密着して配置される。またベース３１ａの背面側には、扉の位置決め孔５２ｂに嵌合する位置決め突起３１ｅが形成される。受け金３１ｂは、掛金２１ｂの係合孔２１ｄに嵌り合う形状であり、南京錠装着用の錠受け孔３１ｄを有する。
【００１４】
支持体２２，３２及び閂部材２４，３４は、それぞれ同一形状に構成される。支持体２２，３２は、貫通部２２ａ，３２ａと、その後部に形成されるフランジ部２２ｂ，３２ｂとを具備する。貫通部２２ａ，３２ａは、貫通開口５１ａ，５２ａに嵌合し、前端面が本体のベース２１ａ，３１ａに当接する。貫通部２２ａ，３２ａは、ベース３１ａのボルト孔３１ｃに対応するねじ孔２２ｃ，３２ｃを前面側に有し、また直交方向の互いに平行な２対の外側平面２２ｄ，３２ｄを具備する。本体２１，３１と支持体２２，３２とが予めボルト２３，３３で結合された状態で、支持体２２，３２が，前面側から貫通開口５１ａ，５２ａに挿通される。
【００１５】
閂部材２４，３４は、主体部２４ａ，３４ａと脚部２４ｂ，３４ｂとを具備する。主体部２４ａ，３４ａは、引き手２４ｃ，３４ｃを介して牽引ワイヤ４に接続される。脚部２４ｂ，３４ｂは、一対が、それぞれ主体部２４ａ，３４ａから互いに平行に間隔を置いて延出し、途上において前後方向に湾曲するばね部２４ｄ，３４ｄを具備し、また先端側の対向部に突起部２４ｅ，３４ｅを具備する。脚部２４ａ，３４ａは、支持体の貫通部２２ａ，３２ａのいずれかの対向外側平面２２ｄ，３２ｄに沿って貫通部２２ａ，３２ａの軸線に直交する方向に延びるように装着され、それによって貫通開口５１ａ，５２ａを架橋し、支持体２２，３２を貫通開口５１ａ，５２ａから抜け止めする。この際、ばね部２４ｄ，３４ｄは、庫体５１又は扉５２の内側面とフランジ部２２ｂ，３２ｂとに弾性的に接触し、また突起部２４ｅ，３４ｅは貫通部２２ａ，３２ａにスナップ係合する。貫通部２２ａ，３２ａの対向外側平面２２ｄ，３２ｄが直交方向に形成されているので、脚部の挿入方向は、９０度毎４方向から選択可能である。
【００１６】
人が庫内にいるときに、誤って扉５２を閉じて係合部材２，３を係合させた上で施錠してしまっても、庫内において牽引ワイヤ４を指定方向へ引けば、閂部材２４，３４が外れ、それにより支持体２２，３２が貫通開口５１ａ，５２ａから前方へ抜け、いずれかの係合部材２，３が脱落するから、扉５２を開放することができる。
【００１７】
なお、本発明の第１及び第２の係合部材２，３は、以上の実施形態のものに限定されない。庫体側と扉側に取り付けられ、互いに係合離脱自在に構成されるものであれば，その具体的係合手段に関わりなく、本発明を適用できる。
【符号の説明】
【００１８】
１    掛金装置
２    第１の係合部材
３    第２の係合部材
４    牽引ワイヤ
２１    本体
２１ａ  ベース
２１ｂ  掛金
２１ｃ  ボルト孔
２１ｄ  係合孔
２１ｅ  位置決め突起
２２    支持体
２２ａ  貫通部
２２ｂ  フランジ部
２２ｃ  ねじ孔
２２ｄ  対向外側平面
２３    ボルト
２４    閂部材
２４ａ  主体部
２４ｂ  脚部
２４ｃ  引き手
２４ｄ  ばね部
２４ｅ  突起部
３１    本体
３１ａ  ベース
３１ｂ  受け金
３１ｃ  ボルト孔５
３１ｄ  錠受け孔
３２    支持体
３２ａ  貫通部
３２ｂ  フランジ部
３２ｃ  ねじ孔３３    ボルト
３２ｄ  対向外側平面
３３    ボルト
３４    閂部材
３４ａ  主体部
３４ｂ  脚部
３４ｃ  引き手
３４ｄ  ばね部
３４ｅ  突起部
５１    庫体
５１ａ  貫通開口
５１ｂ  位置決め孔
５２    扉
５２ａ  貫通開口
５２ｂ  位置決め孔
【図１】
0005444395.tif 000002
【図２】
0005444395.tif 000003
【図３】
0005444395.tif 000004
【図４】
0005444395.tif 000005